(57)【要約】【課題】埋込型照明器具を、取付金具やバネを利用せずに簡素な構造で埋込孔に固定することができ、器具の小型化や薄型化にも適した取付構造を提供する。【解決手段】本発明の埋込形照明器具の取付構造は、埋込孔Ｈに挿入可能な外形略円筒状の外枠体２の側面を切り抜いて略帯状の可動片２４を設け、この可動片２４を固定端２４ａ側から自由端２４ｂ側に向かって徐々に肉厚が増すように形成するとともに、外枠体２の内側に装着される灯具本体３の側面に突起部３６を設け、灯具本体３を回動させると突起部３６によって押し出された可動片２４の自由端２４ｂが外方に張り出して埋込孔の内周面に圧接されることにより、灯具本体３と外枠体２とが埋込孔に固定されるものである。【選択図】図１０
2006004652.tif 000002
【特許請求の範囲】
【請求項１】
取付面の埋込孔に挿入可能な外形略円筒状をなす外枠体に、該外枠体の側面を切り抜いて周方向の一端が自由端となる略帯状の可動片を設け、この可動片を、外枠体に連続する固定端側から自由端側に向かって徐々に肉厚が増すように形成するとともに、
上記外枠体の内側に装着される灯具本体の側面に、上記可動片の内面に当接し得る突起部を設け、灯具本体を外枠体の内側で回動させると、上記突起部によって押し出された可動片の自由端が外方に張り出して埋込孔の内周面に圧接されることにより、灯具本体と外枠体とが埋込孔に固定されるように構成された埋込形照明器具の取付構造。
【請求項２】
可動片の外面に、周方向に延びる複数本の突条が形成されたことを特徴とする請求項１に記載の埋込形照明器具の取付構造。
【請求項３】
可動片は、外枠体の側面複数箇所に略等間隔で形成されたことを特徴とする請求項１に記載の埋込形照明器具の取付構造。
【請求項４】
可動片の内面と、これに当接する突起部の先端面の少なくともいずれか一方に、滑り止めのための粗面処理が施されたことを特徴とする請求項１に記載の埋込形照明器具の取付構造。
【請求項５】
可動片の内面と、これに当接する突起部の先端面の双方に、灯具本体の回動角に応じて段階的に係合する係合凸部と係合凹部とが形成されたことを特徴とする請求項１に記載の埋込形照明器具の取付構造。
【請求項６】
突起部に、その先端面から弾性的に突出するバネ突起が設けられるとともに、可動片の内面に、灯具本体の回動角に応じて上記バネ突起が段階的に係合する係合凹部が形成されたことを特徴とする請求項１に記載の埋込形照明器具の取付構造。
【請求項７】
可動片の下縁部に沿って、内方に張り出す灯具支持片が形成され、灯具本体の突起部が上記灯具支持片上に保持されることを特徴とする請求項１に記載の埋込形照明器具の取付構造。
【請求項８】
取付面の埋込孔に挿入可能な外形略円筒状をなす外枠体に、該外枠体の側面を軸方向に切り抜いて、上端が自由端となる可動片を複数個隣接させて設け、これらの隣接する可動片を、外枠体の周方向に沿って徐々に肉厚が増すように形成するとともに、
上記外枠体の内側に装着される灯具本体の側面に、上記可動片の内面に当接し得る突起部を設け、灯具本体を外枠体の内側で回動させると、上記突起部によって押し出された可動片の自由端が外方に張り出して埋込孔の内周面に圧接されることにより、灯具本体と外枠体とが埋込孔に固定されるように構成された埋込形照明器具の取付構造。
【発明の詳細な説明】
【技術分野】
【０００１】
本発明は、埋込型照明器具を、天井や棚板等に形成された埋込孔内に固定するための取付構造に関する。
【背景技術】
【０００２】
一般にダウンライトと称される埋込型照明器具を、天井面等に形成された埋込孔内に挿入して固定する技術としては、照明器具の下縁フランジ部と、照明器具の外側に摺動自在に取り付けた取付金具との間に、天井板を挟み込んで固定する構造（例えば特許文献１〜２）や、照明器具の外側に張り出すようにして取り付けた板バネまたは棒バネを、天井板に弾性的に掛止させて固定する構造（例えば特許文献３〜６）等が知られている。
【特許文献１】特公昭５６−０４２０８７号公報
【特許文献２】特開平０２−２８８０１２号公報
【特許文献３】特開昭５６−０８６４０５号公報
【特許文献４】特開平０４−０６２７０９号公報
【特許文献５】特開平０６−２９０６２３号公報
【特許文献６】特開平０７−２８２６０７号公報
【発明の開示】
【発明が解決しようとする課題】
【０００３】
上記従来の取付構造のうち、取付金具を用いるものは、埋込孔に照明器具を挿入した後、照明器具の内部に指先を挿し込んで取付金具を操作するように構成されている。そのため、取付操作が面倒であるとともに、照明器具の内側に指先を動かして取付金具を操作し得るだけのスペースを確保しておく必要があり、これが器具本体を小型化する際の制約になる。
【０００４】
また、板バネや棒バネを利用するものは、様々な天井板の厚みに対して、照明器具の取付状態が安定するようにバネの変形状態を対応させるのが難しい。さらに、埋込孔の内周面と照明器具との間にバネを変形させ得るだけのスペースが必要になるので、やはり小型化の制約になる。
【０００５】
この種の埋込型照明器具は、天井板だけでなく、例えば食器棚やリビングボードのような家具の棚板に取り付けられる場合もある。このような態様では、照明器具のさらなる小型化や薄型化が要請されるとともに、棚板の上面に取付金具やバネが突出しないような取付構造を採用する必要がある。
【０００６】
本願発明は、かかる事情に鑑みてなされたもので、埋込型照明器具の小型化や薄型化に特に好適な取付構造を提供するものである。
【課題を解決するための手段】
【０００７】
上記した目的を達成するため、本発明の埋込形照明器具の取付構造は、取付面の埋込孔に挿入可能な外形略円筒状をなす外枠体に、該外枠体の側面を切り抜いて周方向の一端が自由端となる略帯状の可動片を設け、この可動片を、外枠体に連続する固定端側から自由端側に向かって徐々に肉厚が増すように形成するとともに、上記外枠体の内側に装着される灯具本体の側面に、上記可動片の内面に当接し得る突起部を設け、灯具本体を外枠体の内側で回動させると、上記突起部によって押し出された可動片の自由端が外方に張り出して埋込孔の内周面に圧接されることにより、灯具本体と外枠体とが埋込孔に固定されるように構成されたことを特徴とする。
【０００８】
すなわち、この発明は、外枠体の略円筒状をなす外枠体の側面の一部を切り抜いて弾性変形可能な可動片となし、この可動片を内側から押し出して埋込孔の内周面に圧接させるようにしたものである。これによると、外枠体に複雑な取付金具やバネを取り付ける必要がないので、外枠体や灯具本体の構造が簡素になる。また、取付金具やバネが外枠体の上方に突出しないので、取付のために必要な高さ寸法が外枠体の厚みの範囲内に収り、埋込型照明器具の薄型化に有利となる。なお、この構成において「外枠体の側面を切り抜いて」とは、外枠体を円筒状に形成した後に切開する工程に限定されるものではなく、上記のような形態の可動片と外枠体の円筒状部分とを予め一体に成形する工程を含むものとする。
【０００９】
上記可動片の外面には、埋込孔の内周面に対する摩擦抵抗を高めるために、例えばシボ加工などの粗面処理が施されているのが好ましいが、可動片の外面に、周方向に延びる複数本の突条を形成してもよい。突条の縦断面形状は、山谷の連続する鋸刃状や台形状など、適宜の形状から選択することができる。これによって可動片と埋込孔との摩擦抵抗が大きくなり、取付状態を安定させることができる。
【００１０】
また、上記可動片は、外枠体の周方向において少なくとも一箇所に設けられればよいが、構造的なバランスを向上させるには、外枠体の側面複数箇所に略等間隔で同じ向きに形成されるのがより好ましい。
【００１１】
同様に、可動片の内面と、これに当接する突起部の先端面についても、それらの少なくともいずれか一方に滑り止めのための粗面処理を施して、両者の摩擦抵抗を高めるのが好ましい。あるいは、可動片の内面と、これに当接する突起部の先端面の双方に、灯具本体の回動角に応じて段階的に係合する係合凸部と係合凹部とを形成してもよい。係合凸部と係合凹部は、互いに係合し合う形状であれば、いずれが外側（可動片側）で、いずれが内側（突起部側）であってもよい。
【００１２】
さらには、突起部に、その先端面から弾性的に突出するバネ突起を設けるとともに、可動片の内面に、灯具本体の回動角に応じて上記バネ突起が段階的に係合する係合凹部を形成してもよい。
【００１３】
これらの係合手段を採用すれば、灯具本体を回動させたときに、係合凸部と係合凹部とが係合する手応えを段階的に感じることができるとともに、取付後に灯具本体が抜き取り方向に緩んで取付状態が甘くなるのを防ぐこともできる。
【００１４】
また、上記可動片の下縁部に沿って、内方に張り出す灯具支持片を形成し、灯具本体の突起部を上記灯具支持片上に保持させるようにすると、灯具本体の脱落も防止することができ、取付状態がさらに安定する。
【００１５】
本発明の他の構成に係る取付構造は、取付面の埋込孔に挿入可能な外形略円筒状をなす外枠体に、該外枠体の側面を軸方向に切り抜いて、上端が自由端となる可動片を複数個隣接させて設け、これらの隣接する可動片を、外枠体の周方向に沿って徐々に肉厚が増すように形成するとともに、上記外枠体の内側に装着される灯具本体の側面に、上記可動片の内面に当接し得る突起部を設け、灯具本体を外枠体の内側で回動させると、上記突起部によって押し出された可動片の自由端が外方に張り出して埋込孔の内周面に圧接されることにより、灯具本体と外枠体とが埋込孔に固定されるように構成されたことを特徴とする。この構成によっても、上記発明と同様の作用効果を得ることができる。
【発明の効果】
【００１６】
上述のように構成される本発明の埋込形照明器具の取付構造によれば、外枠体に複雑な取付金具やバネを取り付けなくとも、簡素な構造によって、外枠体と灯具本体とを確実かつ容易に埋込孔に固定することができる。取付金具やバネを操作するためのスペースが不要なので、器具内部のスペース効率も向上する。
【００１７】
また、本発明によると、埋込形照明器具を、外枠体の高さの範囲内で取り付けることができるので、家具の棚板のような薄い板材に対しても、上方に部材を突出させずに、すっきりと取り付けることができる。例えば埋込形照明器具を天井面に取り付けるに際し、天井板の直上に野縁材等が配設されている場合でも、天井板に十分な厚みさえあれば、埋込形照明器具が野縁材に干渉するのを心配しなくて済む。また、設置面に形成された埋込孔の深さが外枠体の高さより大きい場合でも、本発明では設置面の裏側に外枠体の一部を突出させる必要がないので、特に支障なく取り付けることが可能になる。
【００１８】
本発明は、このように、埋込型照明器具の小型化、薄型化にとっては、きわめて有利な構造となる。
【発明を実施するための最良の形態】
【００１９】
以下、本発明の実施の形態について図面を参照して説明する。
【実施例１】
【００２０】
図１〜図１７は本発明の取付構造を採用した埋込型照明器具の各部を示す。
【００２１】
例示の埋込形照明器具１は、家具の棚板等に取り付けることを想定して設計された小径・薄型のダウンライトである。この埋込形照明器具１は、棚板等の取付面に形成された埋込孔Ｈに挿入される外枠体２（図１〜図４）と、外枠体２の内側に収容される灯具本体３（図５〜図８）と、外枠体２と灯具本体３との間に装着される内枠体４（図１３〜図１４）とにより構成される。
【００２２】
外枠体２は、略円筒状の筒部２１と、筒部２１の下側周縁部から外方へ張り出す鍔部２２と、放射状の隙間を有する放熱カバー２３とを備えている。筒部２１と鍔部２２は、耐熱性と適度な可撓性を有する合成樹脂等によって一体成形されており、放熱カバー２３は、例えば耐熱性樹脂やアルミ合金等により形成されて、筒部２１の天面に嵌着されている。
【００２３】
灯具本体３は、例えばアルミ合金等からなる略円筒状の本体ケース３１に、ミニハロゲン球等の小型光源３２を取り付け得るソケット３３や、下向きの反射鏡面３４を設け、天面には放熱部３５を設けて形成されている。ただし、本発明において、灯具本体３の内部構造や光源の種類等は特に限定されない。
【００２４】
内枠体４は、耐熱性と適度な可撓性を有する合成樹脂によって形成された略円筒状の枠部４１と、枠部４１の下側開口面に放熱用の隙間を設けて嵌め込まれた耐熱ガラスカバー４２とを備え、枠部４１の外径が外枠体２の筒部２１の内径にほぼ合致する大きさに形成されて、灯具本体３の下側から、外枠体２と灯具本体３との間に装着される。
【００２５】
本発明の要部は、外枠体２と灯具本体３とを埋込孔Ｈ内に固定する構造にある。以下、この点について詳述する。
【００２６】
図２〜図４に示すように、外枠体２の筒部２１には、該筒部２１の側面を切り抜いて形成した側面視略コ字形の可動片２４が設けられている。この可動片２４は、筒部２１に連続する固定端２４ａから筒部２１の周方向に沿って自由端２４ｂへと延びる略帯状の形態をなし、固定端２４ａ側から自由端２４ｂ側に向かって徐々に肉厚が増すように形成されている。可動片２４の外面には、例えばシボ加工のような粗面処理が施されるとともに、縦断面略台形状の突条２５が、筒部２１の周方向に沿って複数本形成されている。可動片２４の内面にも、同様の粗面処理が施されている。さらに、この形態では、可動片２４の内面に、外枠体２の軸方向に延びる浅い係合凹部２６が、複数本、適宜の間隔を設けて形成されている。
【００２７】
例示の形態では、筒部２１の周長の約１／４の長さにわたって形成された可動片２４が、筒部２１の軸心を挟んで対向する二箇所に、可動片２４の向きを揃えて配置されている。
【００２８】
一方、図５〜図８に示すように、灯具本体３の本体ケース３１には、外側方に突出する突起部３６が、本体ケース３１の軸心を挟んで対向する二箇所に設けられている。突起部３６の幅は、可動片２４の長さよりも若干小さく形成されている。突起部３６の先端面は、外枠体２の筒部２１の内面に近似した曲率の円筒面となされ、その一側方が若干テーパーカットされている。
【００２９】
二箇所の突起部３６のうち、ソケット３３の反対側に位置する突起部３６には、その先端面中央に縦長の切欠孔が形成されて、この切欠孔からバネ突起３７が突出している。このバネ突起３７は、板バネを屈曲形成したもので、上面視略Ｕ字状に折り曲げられた屈曲部が突起部３６の先端面から僅かに出没するように取り付けられている。
【００３０】
図９〜図１１に示すように、この灯具本体３を外枠体２の内側に挿入して、上記可動片２４の固定端２４ａ側から自由端２４ｂ側へと向かう方向に灯具本体３を回動させると、突起部３６が可動片２４の内面に当接して、徐々に可動片２４を外方に押し出す。すると、図１２に示すように、押し出された可動片２４が埋込孔Ｈの内周面に圧接されて、その摩擦力により、外枠体２と灯具本体３とが埋込孔Ｈに固定される。この埋込型照明器具を、例えば交換や修理等の事情で取り外す場合は、灯具本体３を上記とは反対の方向に回動させる。すると、押し出されていた可動片２４が内側に戻り、埋込孔Ｈとの摩擦が無くなって、外枠体２及び灯具本体３を簡単に埋込孔Ｈから抜き出すことができる。
【００３１】
可動片２４の外面に形成された突条２５は、埋込孔Ｈとの摩擦抵抗を高めて取付状態を強固にする役割をなす。また、突起部３６の先端面から突出するバネ突起３７は、灯具本体３の回動角に応じて、可動片２４の内面に形成されたいずれかの係合凹部２６に段階的に係合し、取付後に灯具本体３が抜き取り方向に回動して取付状態が甘くなるのを防ぐ役割をなす。
【００３２】
このような、可動片２４と突起部３６との係合手段は、例示のような形態に限らず、例えば可動片２４の内面に、軸方向に伸びる断面半円形ないし台形の突条を複数本形成して係合凸部となし、突起部３６の先端面には同様断面の凹溝を複数本形成して係合凹部となし、これらを互いに係合させるようにしてもよい。
【００３３】
なお、例示の形態では、可動片２４の下縁部に沿って、内方に張り出す灯具支持片２７が形成されている。この灯具支持片２７は、可動片２４を押し出す突起部３６の下縁に係合して、灯具本体３が外枠体２から脱落するのを防止する。
【００３４】
また、例示の形態では、灯具本体３における反射鏡面３４の内側に、内方へ突出する二箇所の突片３８が、灯具本体３の軸心を挟んで相対するように形成されている。この突片３８は、外枠体２の内側に挿入した灯具本体３を回動させる際の指掛かりとなるものである。
【００３５】
このような構成によれば、外枠体２に複雑な取付金具やバネを取り付ける必要がなく、外枠体２の筒部２１に可動片２４を一体成形することができるので、構造が簡素になり、器具内部のスペース効率も向上する。また、取付金具やバネが上方に突出したりせず、外枠体２の高さの範囲内で取り付けることができるので、設置面となる板材の厚みによって取付方法を調整する必要もなく、家具の棚板のような薄い板材であっても、あるいは外枠体２の高さよりも厚い板材であっても、すっきりと取り付けることができる。
【００３６】
作業面においても、外枠体２の内側で灯具本体３を回動させるだけの、きわめて簡単な操作で着脱することができる。設置面にビス孔等をあける必要もない。また、可動片２４が押し出される寸法に適度な自由度があるので、埋込孔Ｈの内径に多少のばらつきが合っても、それに影響されずに取り付けることができる。したがって、小型で薄型の埋込型照明器具１には特に好適である。重量が過度に大きくならなければ、中型以上の埋込型照明器具にも適用することができる。
【００３７】
なお、上記実施形態では、外枠体２の可動片２４と灯具本体３の突起部３６とを、器具の軸心を挟んで二箇所に対向配置しているが、これら可動片２４及び突起部３６は、互いに対応する位置に設けられる限り、適当な間隔で三箇所以上に設けられてもよい。それら可動片２４及び突起部３６を周方向に等間隔で配置すれば、埋込孔Ｈへの取付状態が、力学的にもバランスの良いものとなる。また、可動片２４の形状としては、上記実施形態のように高さ方向全体にわたって肉厚を変化させるのではなく、可動片２４の内面に１本ないし数本のテーパーリブを形成し、このテーパーリブに灯具本体３の突起部３６を当接させるようにしてもよい。
【００３８】
続いて、上記のように固定された外枠体２及び灯具本体３に内枠体４を取り付ける構造について説明する。
【００３９】
図１３〜図１４に示すように、内枠体４には、内枠体４を外枠体２に取り付けるための係合部４３が設けられている。係合部４３は、枠部４１の上縁から上方に立ち上がる基部４４と、基部４４の上部から側方に延び、枠部４１の周面と同じ曲率で湾曲した係合片４５とを備えている。係合片４５と枠部４１の上縁との間には一定の隙間が形成されている。例示の形態では、係合部４３は枠部４１と一体に成形されており、係合片４５は適当な可撓性をもって内外に湾曲しうるようになっている。この係合部４３は、上記した外枠体２の可動片２４及び灯具本体３の突起部３６の配置に合わせて、軸心を挟む二箇所に向きを揃えて対向配置されている。
【００４０】
一方、外枠体２の筒部２１における、可動片２４が設けられていない部分の内面には、図３〜図４に示すように、上記内枠体４の係合部４３を係合させるための係合突起５１が形成されている。この係合突起５１は、一方（図３における左側）の側面が、筒部２１の内面に連続する緩傾斜の凹面となっており、この凹面の下半部５２の曲率が上半部５３の曲率よりも小さく形成されて、図４に示すように、下半部５２と上半部５３との間には、周方向に延びる上面視略弓形の段差５４が設けられている。筒部２１の周方向に沿う段差５４の長さは、係合片４５の長さの概ね１／３ないし１／２になっている。下半部５２の内面は、筒部２１の開口面側から上方へ向かうにつれて徐々に筒部２１の内側へせり出す緩傾斜のテーパ面となっている。
【００４１】
係合突起５１の他方（図３における右側）の側面は、図４に示すように、筒部２１の内面に対してやや急角度で突出するように形成されており、この突出した側面が上記した灯具本体３の突起部３６に対する回り止めとなっている（図１１参照）。
【００４２】
係合突起５１の最も内方に突出した頂面にも、上記他方の側面側が内方に突出する縦方向の段差５５が設けられている。この係合突起５１は、内枠体４の係合部４３に合わせ、軸心を挟む二箇所に向きを揃えて対向配置されている。
【００４３】
図１０〜図１１に示したように、外枠体２に灯具本体３を取り付けた状態では、灯具本体３の突起部３６が設けられていない部分と外枠体２との間に隙間が形成されているので、この隙間に下方から内枠体４の係合部４３を挿入する。すると、図１５〜図１６に示すように、係合片４５が係合突起５１の下半部５２に沿って内側に湾曲しながら押し込まれ、係合突起５１の下半部５２と上半部５３との間に形成された周方向の段差５４に乗り上げる。これにより、内枠体４が外枠体２から抜け出さないように係合された状態となる。
【００４４】
内枠体４を取り外す場合は、図１７に示すように、内枠体４を係合片４５の自由端側に向けて、図示右回りに回動させる。すると、係合片４５の自由端は係合突起５１の上半部５３に沿って内側に湾曲しつつ係合突起５１の頂面まで進み、縦方向の段差５５に当接して、それ以上回動できなくなる。このとき、係合片４５の自由端は最も内側に押し込まれた状態となり、係合突起５１の段差５４に乗り上げていた係合片４５が、下半部５２よりも内側に浮き上がって係合が解かれ、内枠体４が下方に滑落する。こうして、内枠体４を外枠体２から抜き出すことができる。
【００４５】
例示の形態では、内枠体４を外枠体２から抜き出しやすくするため、図１４〜図１５に示すように、内枠体４に抜出突起４６を形成している。この抜出突起４６は、係合片４５の下方位置で、枠部４１の上縁から側面視略三角形状に立ち上がっており、外枠体２に係合された内枠体４を抜き出し方向に回動させたときに、係合突起５１の下半部５２に当接し、その反力で内枠体４を下方に押し出す。これにより、内枠体４の重量に比べて係合箇所の接触摩擦が大きい場合でも、内枠体４を確実に取り出すことができる。
【００４６】
上記のような取付構造によって内枠体４の着脱も容易になる。内枠体４の係合片４５が、周方向に沿う横長の形状に形成されているので、係合部分の構造的な高さ寸法を小さくすることができる。したがって、埋込型照明器具を薄型化するのにきわめて有利である。
【実施例２】
【００４７】
図１８〜図１９は、外枠体と灯具本体との取付構造に関する他の実施形態を示す。この形態は、請求項８記載の構成に対応するもので、外枠体２０の構成が上記実施例１に示した外枠体２とは異なっている。灯具本体３の構成は上記実施例１と共通である。
【００４８】
外枠体２０には、その側面を軸方向に切り抜いて、上端が自由端となる可動片２０４が複数個隣接するように設けられている。これらの可動片２０４は、外枠体の周方向に沿う一方に向かって徐々に肉厚が増すように形成されている。そして、この外枠体２０の内側に灯具本体３を装着して回動させると、灯具本体３の突起部３６が、可動片の内面に当接して可動片２０４の自由端を外方に押し出し、この自由端が埋込孔Ｈの内周面に圧接されて、外枠体２０と灯具本体３とが埋込孔Ｈに固定される。
【００４９】
各可動片２０４の間に形成された隙間には、灯具本体３の突起部３６から突出するバネ突起３７が係合して、灯具本体３が抜き取り方向に緩むのを防ぐ役割をなす。また、各可動片２０４の内側には、同じ高さで内方に張り出す灯具支持片２０７が形成されており、この灯具支持片２０７は突起部３６の下縁に係合して、灯具本体３が外枠体２０から下方に脱落するのを防止する役割をなす。
【００５０】
このように構成された取付構造も、上記実施例１と同様に、外枠体２０に複雑な取付金具やバネを取り付ける必要がなく、外枠体２０に可動片２０４を一体成形することができるので、構造が簡素になり、器具内部のスペース効率も向上する。また、取付金具やバネが上方に突出したりせず、外枠体２０の高さの範囲内で取り付けることができるので、設置面となる板材の厚みによって取付方法を調整する必要もなく、家具の棚板のような薄い板材であっても、あるいは外枠体２０の高さよりも厚い板材であっても、すっきりと取り付けることができる。
【図面の簡単な説明】
【００５１】
【図１】本発明の取付構造を採用した埋込型照明器具における外枠体の上面図である。
【図２】上記外枠体の側面図である。
【図３】上記外枠体のＡ−Ａ’断面図である。
【図４】上記外枠体のＢ−Ｂ’断面図である。
【図５】本発明の取付構造を採用した埋込型照明器具における灯具本体の上面図である。
【図６】上記灯具本体の側面図である。
【図７】上記灯具本体のＣ−Ｃ’断面図である。
【図８】上記灯具本体の底面図である。
【図９】外枠体の内側に灯具本体を挿入した状態を、図２のＢ−Ｂ’断面から見た図である。
【図１０】図９の状態から灯具本体を若干回動させたときの状態を示す図である。
【図１１】図１０の状態から灯具本体をさらに回動させたときの状態を示す図である。
【図１２】図１１の状態における外枠体及び灯具本体のＤ−Ｄ’断面図である。
【図１３】上記埋込型照明器具における内枠体の上面図である。
【図１４】上記内枠体のＥ−Ｅ’断面図である。
【図１５】内枠体と外枠体との係合状態を示す部分斜視図である。
【図１６】内枠体を外枠体に係合させたときの状態を、図２のＢ−Ｂ’断面から見た図である。
【図１７】内枠体を外枠体から取り外すときの状態を、図２のＢ−Ｂ’断面から見た図である。
【図１８】本発明の他の実施例にかかる外枠体の側面図である。
【図１９】上記外枠体と、その内側に挿入した灯具本体の係合状態を示す上面図である。
【符号の説明】
【００５２】
１      埋込形照明器具
２      外枠体
２４    可動片
２４ａ  固定端
２４ｂ  自由端
２５    突条
２７    灯具支持片
２０    外枠体
２０４  可動片
３      灯具本体
３６    突起部
３７    バネ突起
４      内枠体
Ｈ      埋込孔
【図１】
2006004652.tif 000003
【図２】
2006004652.tif 000004
【図３】
2006004652.tif 000005
【図４】
2006004652.tif 000006
【図５】
2006004652.tif 000007
【図６】
2006004652.tif 000008
【図７】
2006004652.tif 000009
【図８】
2006004652.tif 000010
【図９】
2006004652.tif 000011
【図１０】
2006004652.tif 000012
【図１１】
2006004652.tif 000013
【図１２】
2006004652.tif 000014
【図１３】
2006004652.tif 000015
【図１４】
2006004652.tif 000016
【図１５】
2006004652.tif 000017
【図１６】
2006004652.tif 000018
【図１７】
2006004652.tif 000019
【図１８】
2006004652.tif 000020
【図１９】
2006004652.tif 000021